(57)【要約】      （修正有）【課題】部品点数の増加を防ぎ、簡単な構造で、小型化を図ることができるモジュールおよびそれを備えた時計を提供する。【解決手段】コネクタ本体に第１〜第３接続基板をロックレバーによってロックする第１〜第３コネクタと、これら第１〜第３コネクタが取り付けられた回路基板１７と、第１〜第３コネクタに対向して配置され、第１〜第３コネクタの各ロックレバーによるロック状態の解除を規制する電池１４と、を備えている。従って、別部品としての専用のロック解除規制部材を用いずに、電池１４によって各ロックレバーによるロック状態の解除を規制することができるので、構造が簡単で、部品点数の増加を防ぐことができる共に、専用のロック解除規制部材の設置スペースが不要であるから、時計モジュール１２全体の小型化を図ることができる。【選択図】図２
2019086299.tif 000002
【特許請求の範囲】
【請求項１】
コネクタ本体に接続部材をロック部によってロックするコネクタと、
前記コネクタが取り付けられた基板と、
前記コネクタに対向して配置され、前記ロック部によるロック状態の解除を規制する電池と、
を備えていることを特徴とするモジュール。
【請求項２】
請求項１に記載のモジュールにおいて、前記電池は、前記ロック状態のロック部に対して非接触状態で接近して配置されることを特徴とするモジュール。
【請求項３】
請求項１または請求項２に記載のモジュールにおいて、前記電池を収納する電池収納部が前記コネクタに対応して設けられた電池保持部材を備えていることを特徴とするモジュール。
【請求項４】
請求項１〜請求項３のいずれかに記載のモジュールにおいて、前記コネクタは前記電池の周縁部に対応して複数設けられていることを特徴とするモジュール。
【請求項５】
請求項１〜請求項４のいずれかに記載のモジュールにおいて、前記コネクタ本体は、前記接続部材が挿入する挿入部と、前記挿入部内に設けられて前記接続部材が接続される複数の端子と、を備え、前記ロック部は、前記コネクタ本体の厚さ方向に回転可能に設けられて前記挿入部内に挿入された前記接続部材を押し付けるロック本体を備えていることを特徴とするモジュール。
【請求項６】
請求項１〜請求項５のいずれかに記載されたモジュールを備えていることを特徴とする時計。
【発明の詳細な説明】
【技術分野】
【０００１】
この発明は、腕時計などの電子機器に用いられるモジュールおよびそれを備えた時計に関する。
【背景技術】
【０００２】
例えば、電子機器においては、特許文献１に記載されているように、基板上にコネクタが半田付けされた箇所を接続ケーブルの抜き差しに対して保護するために、コネクタを補強金具によって保護する構造のものが知られている。
【先行技術文献】
【特許文献】
【０００３】
【特許文献１】特開２００８−１９９２２９号公報
【発明の概要】
【発明が解決しようとする課題】
【０００４】
このような電子機器のコネクタは、接続ケーブルがフレキシブルな配線基板である場合、フレキシブルな配線基板が差し込まれて接続された状態で、配線基板を押え付けてロックするロックレバーを備えた構造のものが開発されている。
【０００５】
しかしながら、このような電子機器のコネクタでは、ロックレバーのロックが不用意に解除されないように、ロックレバーのロック状態を保持するための専用のロック解除規制部材が必要となる。このため、このような電子機器では、部品点数が増えるばかりか、専用のロック解除規制部材を設置するための設置スペースが必要となるため、構造が複雑になり、機器全体が大型化するという問題がある。
【０００６】
この発明が解決しようとする課題は、部品点数の増加を防ぎ、簡単な構造で、小型化を図ることができるモジュールおよびそれを備えた時計を提供することである。
【課題を解決するための手段】
【０００７】
この発明は、コネクタ本体に接続部材をロック部によってロックするコネクタと、前記コネクタが取り付けられた基板と、前記コネクタに対向して配置され、前記ロック部によるロック状態の解除を規制する電池と、を備えていることを特徴とするモジュールである。
【発明の効果】
【０００８】
この発明によれば、部品点数の増加を防ぐことができると共に、簡単な構造で、小型化を図ることができる。
【図面の簡単な説明】
【０００９】
【図１】この発明を腕時計に適用した一実施形態を示した拡大正面図である。
【図２】図１に示された腕時計のＡ−Ａ矢視における拡大断面図である。
【図３】図２に示された腕時計において、裏蓋を取り外した状態を示した拡大裏面図である。
【図４】図３に示された腕時計の回路基板を示した拡大裏面図である。
【図５】図４に示された回路基板の第１〜第３コネクタにおいて、ロックレバーのロック解除状態を示し、（ａ）はその拡大平面図、（ｂ）はその拡大正面図、（ｃ）は（ａ）のＢ−Ｂ矢視における拡大断面図である。
【図６】図５に示された第１〜第３コネクタにおいて、ロックレバーのロック状態を示し、（ａ）はその拡大平面図、（ｂ）はその拡大正面図、（ｃ）は（ａ）のＣ−Ｃ矢視における拡大断面図である。
【発明を実施するための形態】
【００１０】
以下、図１〜図６を参照して、この発明を腕時計に適用した一実施形態について説明する。
この腕時計は、図１および図２に示すように、腕時計ケース１を備えている。この腕時計ケース１は、硬質の合成樹脂製のケース本体２と、電波を受信する金属製の外装アンテナ３と、軟質の合成樹脂製の外装部材４と、を備えている。
【００１１】
ケース本体２は、図１〜図３に示すように、ほぼ円形のリング状に形成され、その下部に裏蓋５が防水パッキン５ａを介して取り付けられている。外装アンテナ３は、高周波（例えば１５７５．４２ＭＨｚ）の電波を受信するＧＰＳ用のアンテナであり、ケース本体２とほぼ同じ形状のリング状に形成され、腕時計のベゼルとしても機能するように構成されている。
【００１２】
この外装アンテナ３は、図１および図２に示すように、ケース本体２の上部に防水リング２ａを介して複数のねじ６によって取り付けられている。この外装アンテナ３の上部開口部には、時計ガラス７がガラスパッキン７ａを介して取り付けられている。外装部材４は、ウレタン樹脂などの軟質の合成樹脂で形成され、ケース本体２および外装アンテナ３の外周に配置されて、外装アンテナ３と共に複数のねじ６によって取り付けられている。
【００１３】
一方、この腕時計ケース１の１２時側と６時側との各側部には、図１および図２に示すように、時計バンド（図示せず）が取り付けられるバンド取付部８が設けられている。また、この腕時計ケース１の２時側、３時側、４時側、８時側、１０時側の各側部には、スイッチ部１０がそれぞれ設けられている。さらに、この腕時計ケース１の９時側の側部には、腕時計ケース１の外部環境を検出する圧力センサや温度センサなどのセンサを備えたセンサ部１１が設けられている。
【００１４】
この腕時計ケース１の内部、つまりケース本体２の内部には、図２に示すように、時計モジュール１２が設けられている。この時計モジュール１２は、ハウジング１３を備えている。このハウジング１３は、充電可能な二次電池である電池１４を収納して保持する電池保持部材の機能を備えている。すなわち、このハウジング１３の内部には、電池１４を収納する電池収納部１５が上下に貫通して設けられている。
【００１５】
この場合、ハウジング１３の下部には、図２および図３に示すように、電池収納部１５内に配置された電池１４を押える電池押え板１６が設けられている。また、このハウシング１３の上部には、回路基板１７が配置されている。この回路基板１７は、ケース本体２内の上部に設けられたパネル搭載部２ｂの下面に取り付けられている。
【００１６】
このケース本体２のパネル搭載部２ｂ上には、図２に示すように、表示パネル１８が配置されている。この表示パネル１８は、液晶表示パネルやＥＬ（エレクトロ・ルミネッセンス）表示パネルなどの平面型の表示パネルである。この表示パネル１８は、後述するフレキシブルな第３接続基板２２によって回路基板１７と電気的に接続されて、時刻などの時計機能に必要な各種の情報を電気光学的に表示するように構成されている。
【００１７】
この表示パネル１８の上方、つまり外装アンテナ３に装着された時計ガラス７の下側には、図２に示すように、文字板ユニット１９が配置されている。この文字板ユニット１９は、上下一対の透明な文字板間にソーラーパネルを配置したものであり、この文字板ユニット１９を通して表示パネル１８の情報が見えるように構成されている。
【００１８】
ところで、スイッチ部１０は、図２に示すように、釦部１０ａと軸部１０ｂとスイッチ接点部１０ｃとを備えている。軸部１０ｂは、ケース本体２の３時側の側部に貫通して設けられた釦挿入孔２ｃ内にスライド可能に設けられている。この場合、軸部１０ｂの外周には、複数の防水リング１０ｄが設けられている。スイッチ接点部１０ｃは、軸部１０ｂの内端部に対応してケース本体２のパネル搭載部２ｂの下面に設けられている。
【００１９】
これにより、スイッチ部１０は、図２に示すように、釦部１０ａが腕時計ケース１の外部から押されて軸部１０ｂがケース本体２に押し込まれた際に、スイッチ接点部１０ｃがオン動作するように構成されている。この場合、スイッチ接点部１０ｃは、スイッチ用のフレキシブルな第１接続基板２０によって回路基板１７と電気的に接続されるように構成されている。
【００２０】
また、センサ部１１は、図２に示すように、センサ本体１１ａとカバー部材１１ｂとを備えている。センサ本体１１ａは、圧力センサや温度センサなどのセンサを備え、ケース本体２の９時側の側部に貫通して設けられたセンサ挿入孔２ｄ内に設けられている。このセンサ本体１１ａは、センサ用のフレキシブルな第２接続基板２１によって回路基板１７と電気的に接続されるように構成されている。カバー部材１１ｂは、ケース本体２の外面にセンサ挿入孔２ｄを覆って設けられている。
【００２１】
一方、回路基板１７の表裏面には、図４に示すように、時計機能に必要な各種の電子部品１７ａが設けられている。この場合、回路基板１７には、外装アンテナ３が電気的に接続されているほか、裏面（図２では下面）には、磁気センサ２３および第１〜第３コネクタ２４〜２６が設けられている。磁気センサ２３は、方位を検出するためのものであり、回路基板１７の１２時側に設けられている。第１〜第３コネクタ２４〜２６は、回路基板１７の裏面にハウジング１３の電池収納部１５と対応して設けられている。
【００２２】
すなわち、第１コネクタ２４は、図２〜図４に示すように、スイッチ部１０のスイッチ接点部１０ｃに接続されたスイッチ用のフレキシブルな第１接続基板２０が接続されるものである。このため、この第１コネクタ２４は、ハウジング１３の電池収納部１５内における３時側に位置する箇所に対応した状態で、回路基板１７の裏面に設けられている。
【００２３】
第２コネクタ２５は、図２〜図４に示すように、センサ部１１のセンサ本体１１ａに接続されたセンサ用のフレキシブルな第２接続基板２１が接続されるものである。このため、この第２コネクタ２５は、ハウジング１３の電池収納部１５内における９時側に位置する箇所に対応した状態で、回路基板１７の裏面に設けられている。
【００２４】
第３コネクタ２６は、図３および図４に示すように、表示パネル１８に接続された表示用のフレキシブルな第３接続基板２２が接続されるものである。このため、この第３コネクタ２６は、ハウジング１３の電池収納部１５内における１２時側に位置する箇所に対応した状態で、回路基板１７の裏面に設けられている。
【００２５】
この場合、第１〜第３コネクタ２４〜２６は、図３〜図６に示すように、第１〜第３接続基板２０〜２２の各接続配線（図示せず）の配列方向における長さ（横幅）に応じてそれぞれ大きさが異なる構造であり、これ以外は同じ構造になっている。すなわち、第１〜第３コネクタ２４〜２６それぞれは、コネクタ本体２７とロック部であるロックレバー２８とを備えている。
【００２６】
例えば、第１コネクタ２４のコネクタ本体２７は、図５および図６に示すように、平板の箱状に形成され、その内部に第１接続基板２０が挿入する基板挿入部２７ａが一端部（図５（ｃ）では右端部）に開放されて設けられている。この基板挿入部２７ａは、その横幅が第１接続基板２０の接続配線（図示せず）の配列方向における長さとほぼ同じ大きさで、高さが第１接続基板２０の厚みよりも少し長く形成されている。
【００２７】
また、この基板挿入部２７ａの開放された一端部の上部には、図５および図６に示すように、開口部２７ｂが設けられている。この基板挿入部２７ａ内の下部には、第１接続基板２０の接続配線（図示せず）に対応する複数の端子２７ｃが、基板挿入部２７ａの開放側の一端部から他端部に亘って設けられている。
【００２８】
この場合、複数の端子２７ｃは、図５および図６に示すように、基板挿入部２７ａの内部からコネクタ本体２７の下部に露出して設けられている。これにより、コネクタ本体２７は、複数の端子２７ｃが回路基板１７の電極端子（図示せず）上に配置されて半田付けによって電気的に接続された状態で、回路基板１７に取り付けられている。
【００２９】
一方、ロックレバー２８は、図５および図６に示すように、板状のレバー本体２８ａと支持軸２８ｂとを備えている。レバー本体２８ａは、コネクタ本体２７における複数の端子２７ｃの配列方向の長さが、コネクタ本体２７の開放側の一端部における上部の開口部２７ｂと同じ長さで、複数の端子２７ｃの配列方向と直交する方向の長さが、コネクタ本体２７の開口部２７ｂよりも少し長く形成されている。
【００３０】
これにより、レバー本体２８ａは、図５および図６に示すように、コネクタ本体２７の開口部２７ｂ内に配置された際に、一端部が基板挿入部２７ａの開放側の一端部から外部に突出するように構成されている。支持軸２８ｂは、複数の端子２７ｃの配列方向におけるレバー本体２８ａの両側部に突出して設けられ、コネクタ本体２７の開口部２７ｂの両側部に回転可能に取り付けられている。
【００３１】
このため、ロックレバー２８は、図５および図６に示すように、支持軸２８ｂを中心にレバー本体２８ａをコネクタ本体２７の厚さ（高さ）方向に回転させてコネクタ本体２７上に起立させた際に、図５（ｃ）に示すように、コネクタ本体２７の基板挿入部２７ａが開放されてロック解除状態になるように構成されている。このため、第１コネクタ２４は、第１接続基板２０がコネクタ本体２７の基板挿入部２７ａ内に差し込まれて、第１接続基板２０の接続配線（図示せず）が基板挿入部２７ａ内の複数の端子２７ｃに対応するように構成されている。
【００３２】
また、このロックレバー２８は、図５および図６に示すように、支持軸２８ｂを中心にレバー本体２８ａが回転してコネクタ本体２７の開口部２７ｂ内に配置された際に、図６（ｃ）に示すように、レバー本体２８ａが第１接続基板２０をコネクタ本体２７の基板挿入部２７ａ内の下部に押し付けるように構成されている。
【００３３】
これにより、第１コネクタ２４は、図６（ａ）〜図６（ｃ）に示すように、第１接続基板２０の接続配線（図示せず）が基板挿入部２７ａ内の複数の端子２７ｃに圧接されて、第１接続基板２０の接続配線が複数の端子２７ｃを介して回路基板１７と電気的に接続された状態で、第１接続基板２０をロックレバー２８によってロックするように構成されている。
【００３４】
第２コネクタ２５は、第１コネクタ２４と同様、ロックレバー２８の支持軸２８ｂを中心にロックレバー２８のレバー本体２８ａをコネクタ本体２７の厚さ（高さ）方向に回転させてコネクタ本体２７上に起立させた際に、コネクタ本体２７の基板挿入部２７ａが開放されてロック解除状態になるように構成されている。これにより、第２コネクタ２５は、第２接続基板２１がコネクタ本体２７の基板挿入部２７ａ内に差し込まれて、第２接続基板２１の接続配線が基板挿入部２７ａ内の複数の端子２７ｃに対応するように構成されている。
【００３５】
また、この第２コネクタ２５は、第１コネクタ２４と同様、ロックレバー２８の支持軸２８ｂを中心にレバー本体２８ａを回転させてコネクタ本体２７の開口部２７ｂ内に配置させた際に、レバー本体２８ａが第２接続基板２１をコネクタ本体２７の基板挿入部２７ａ内の下部に押し付けるように構成されている。
【００３６】
これにより、第２コネクタ２５は、図６（ａ）〜図６（ｃ）に示すように、第２接続基板２１の接続配線が基板挿入部２７ａ内の複数の端子２７ｃに圧接されて、第２接続基板２１の接続配線が複数の端子２７ｃを介して回路基板１７と電気的に接続された状態で、第２接続基板２１をロックレバー２８によってロックするように構成されている。
【００３７】
同様に、第３コネクタ２６は、ロックレバー２８の支持軸２８ｂを中心にロックレバー２８のレバー本体２８ａをコネクタ本体２７の厚さ（高さ）方向に回転させてコネクタ本体２７上に起立させた際に、コネクタ本体２７の基板挿入部２７ａが開放されてロック解除状態になるように構成されている。これにより、第３コネクタ２６は、第３接続基板２２がコネクタ本体２７の基板挿入部２７ａ内に差し込まれて、第３接続基板２２の接続配線が基板挿入部２７ａ内の複数の端子２７ｃに対応するように構成されている。
【００３８】
また、この第３コネクタ２６は、第１コネクタ２４と同様、ロックレバー２８の支持軸２８ｂを中心にレバー本体２８ａを回転させてコネクタ本体２７の開口部２７ｂ内に配置させた際に、レバー本体２８ａが第３接続基板２２をコネクタ本体２７の基板挿入部２７ａ内の下部に押し付けるように構成されている。
【００３９】
これにより、第３コネクタ２６は、図６（ａ）〜図６（ｃ）に示すように、第３接続基板２２の接続配線が基板挿入部２７ａ内の複数の端子２７ｃに圧接されて、第３接続基板２２の接続配線が複数の端子２７ｃを介して回路基板１７と電気的に接続された状態で、第３接続基板２２をロックレバー２８によってロックするように構成されている。
【００４０】
ところで、第１〜第３コネクタ２４〜２６は、図２〜図４に示すように、回路基板１７の裏面にハウジング１３の電池収納部１５と対応して設けられている。このため、第１〜第３コネクタ２４〜２６は、電池収納部１５に収納された電池１４が対向して配置され、この電池１４によって第１〜第３コネクタ２４〜２６の各ロックレバー２８によるロック状態の解除が規制されるように構成されている。
【００４１】
すなわち、電池１４は、図２に示すように、ハウジング１３の電池収納部１５内に配置されて電池押え板１６によって電池１４の下面が押えられた際に、電池１４の上面が回路基板１７の裏面である下面に設けられた電極板３０に弾力的に押し付けられるように構成されている。
【００４２】
これにより、電池１４は、図２に示すように、第１〜第３コネクタ２４〜２６の各ロックレバー２８が第１〜第３接続基板２０〜２２をそれぞれロックした状態のときに、各ロックレバー２８に対して非接触状態で接近、つまり僅かな隙間Ｓをもって配置されるように構成されている。
【００４３】
このため、第１〜第３コネクタ２４〜２６は、図２に示すように、衝撃などによって各ロックレバー２８が各支持軸２８ｂを中心に回転しようとしても、各ロックレバー２８が電池１４に当接することにより、各ロックレバー２８によるロック状態が不用意に解除されないように構成されている。
【００４４】
次に、このような腕時計の時計モジュール１２の作用について説明する。
この腕時計を組み立てる場合には、まず、ケース本体２内に時計モジュール１２を組み込む。このときには、予め、ケース本体２のパネル搭載部２ｂに表示パネル１８を配置すると共に、ケース本体２の３時側の側部にスイッチ部１０を取り付け、かつケース本体２の９時側の側部にセンサ部１１を取り付ける。
【００４５】
この場合、表示パネル１８をケース本体２のパネル搭載部２ｂに配置する際には、予め、表示パネル１８にフレキシブルな第３接続基板２２を接続する。また、ケース本体２の３時側の側部にスイッチ部１０を取り付ける場合には、スイッチ部１０の軸部１０ｂをケース本体２の釦挿入孔２ｃに挿入させて取り付けると共に、スイッチ接点部１０ｃをケース本体２のパネル搭載部２ｂの下面に配置する。このときにも、予め、スイッチ接点部１０ｃにフレキシブルな第１接続基板２０を接続する。
【００４６】
また、ケース本体２の９時側の側部にセンサ部１１を取り付ける場合には、センサ本体１１ａをケース本体２のセンサ挿入孔２ｄに挿入させて取り付けると共に、カバー部材１１ｂをケース本体２の外面にセンサ挿入孔２ｄを覆って取り付ける。このときにも、予め、センサ本体１１ａにフレキシブルな第２接続基板２１を接続し、この接続された第２接続基板２１をケース本体２の内部に延出させる。
【００４７】
そして、ケース本体２のパネル搭載部２ｂの下面に回路基板１７を配置する。このときには、予め、回路基板１７の表裏面に電子部品１７ａを取り付けると共に、回路基板１７の裏面における１２時側に磁気センサ２３を取り付け、かつ電池１４に対応する回路基板１７の裏面に第１〜第３コネクタ２４〜２６を取り付ける。この場合には、第１コネクタ２４をスイッチ部１０に対応する箇所の回路基板１７に配置させて半田付けによって第１コネクタ２４の複数の端子２７ｃを回路基板１７の電極端子（図示せず）に接続する。
【００４８】
同様に、第２コネクタ２５をセンサ部１１に対応する箇所の回路基板１７に配置させて半田付けによって第２コネクタ２５の複数の端子２７ｃを回路基板１７の電極端子（図示せず）に接続する。また、第３コネクタ２６を表示パネル１８に対応する箇所の回路基板１７に配置させて半田付けによって第３コネクタ２６の複数の端子２７ｃを回路基板１７の電極端子（図示せず）に接続する。
【００４９】
この状態で、第１〜第３接続基板２０〜２２を第１〜第３コネクタ２４〜２６に接続する。すなわち、第１接続基板２０を第１コネクタ２４に接続する場合には、図５（ａ）〜図５（ｃ）に示すように、ロックレバー２８の支持軸２８ｂを中心にロックレバー２８のレバー本体２８ａを回転させてコネクタ本体２７上（図２では下側）に起立させて、コネクタ本体２７の基板挿入部２７ａを開放させる。
【００５０】
そして、第１コネクタ２４のコネクタ本体２７の基板挿入部２７ａ内に第１接続基板２０を差し込んで、第１接続基板２０の接続配線（図示せず）を基板挿入部２７ａ内の複数の端子２７ｃに対応させる。この状態で、図６（ａ）〜図６（ｃ）に示すように、ロックレバー２８の支持軸２８ｂを中心にロックレバー２８のレバー本体２８ａを回転させてコネクタ本体２７の開口部２７ｂ内に配置させる。
【００５１】
これにより、第１コネクタ２４のレバー本体２８ａが第１接続基板２０をコネクタ本体２７の基板挿入部２７ａ内に押し付けられ、第１接続基板２０の接続配線（図示せず）が第１コネクタ２４の基板挿入部２７ａ内の複数の端子２７ｃに圧接されて、第１接続基板２０が第１コネクタ２４にロックされる。これにより、スイッチ部１０のスイッチ接点部１０ｃが第１接続基板２０および第１コネクタ２４によって回路基板１７と電気的に接続される。
【００５２】
同様に、第２接続基板２１を第２コネクタ２５に接続する場合には、図５（ａ）〜図５（ｃ）に示すように、ロックレバー２８の支持軸２８ｂを中心にロックレバー２８のレバー本体２８ａを回転させてコネクタ本体２７上（図２では下側）に起立させて、コネクタ本体２７の基板挿入部２７ａを開放させる。この状態で、第２コネクタ２５のコネクタ本体２７の基板挿入部２７ａ内に第２接続基板２１を差し込んで、第２接続基板２１の接続配線（図示せず）を基板挿入部２７ａ内の複数の端子２７ｃに対応させる。
【００５３】
そして、図６（ａ）〜図６（ｃ）に示すように、ロックレバー２８の支持軸２８ｂを中心にロックレバー２８のレバー本体２８ａを回転させてコネクタ本体２７の開口部２７ｂ内に配置させる。すると、第２コネクタ２５のレバー本体２８ａが第２接続基板２１をコネクタ本体２７の基板挿入部２７ａ内に押し付けられる。
【００５４】
このため、第２接続基板２１の接続配線（図示せず）が第２コネクタ２５の基板挿入部２７ａ内の複数の端子２７ｃに圧接されて、第２接続基板２１が第２コネクタ２５にロックされる。これにより、センサ部１１のセンサ本体１１ａが第２接続基板２１および第２コネクタ２５によって回路基板１７と電気的に接続される。
【００５５】
また、第３接続基板２２を第３コネクタ２６に接続する場合には、図５（ａ）〜図５（ｃ）に示すように、ロックレバー２８の支持軸２８ｂを中心にロックレバー２８のレバー本体２８ａを回転させてコネクタ本体２７上（図２では下側）に起立させて、コネクタ本体２７の基板挿入部２７ａを開放させる。この状態で、第３コネクタ２６のコネクタ本体２７の基板挿入部２７ａ内に第３接続基板２２を差し込んで、第３接続基板２２の接続配線（図示せず）を基板挿入部２７ａ内の複数の端子２７ｃに対応させる。
【００５６】
そして、図６（ａ）〜図６（ｃ）に示すように、ロックレバー２８の支持軸２８ｂを中心にロックレバー２８のレバー本体２８ａを回転させてコネクタ本体２７の開口部２７ｂ内に配置させる。すると、第３コネクタ２６のレバー本体２８ａが第３接続基板２２をコネクタ本体２７の基板挿入部２７ａ内に押し付けられる。
【００５７】
このため、第３接続基板２２の接続配線（図示せず）が第３コネクタ２６の基板挿入部２７ａ内の複数の端子２７ｃに圧接されて、第３接続基板２１が第３コネクタ２６にロックされる。これにより、表示パネル１８が第３接続基板２２および第３コネクタ２６によって回路基板１７と電気的に接続される。
【００５８】
この後、ケース本体２内に時計モジュール１２のハウジング１３を配置する。このときには、第１〜第３接続基板２０〜２２が接続された第１〜第２コネクタ２４〜２６にハウジング１３の電池収納部１５を対応させる。この状態で、ケース本体２上に防水リング２ａを介して外装アンテナ３を配置させて回路基板１７と電気的に接続する。このときには、予め、外装アンテナ３内に時計ガラス７をガラスパッキン７ａと共に嵌め込み、この時計ガラス７の下側に文字板ユニット１９を配置する。
【００５９】
そして、外装アンテナ３とケース本体２との外周に外装部材４を装着する。この状態で、外装部材４の複数のねじ挿入孔と外装アンテナ３の複数のねじ挿入孔（いずれも図示せず）に複数のねじ６をそれぞれ挿入させ、この挿入された複数のねじ６をケース本体２の複数のねじ孔（図示せず）に螺合させて締め付ける。これにより、ケース本体２に外装アンテナ３と外装部材４とが取り付けられて、腕時計ケース１が組み立てられる。
【００６０】
この状態で、時計モジュール１２のハウジング１３の電池収納部１５内に電池１４を収納して電池押え板１６で電池１４の下面を押える。このときには、電池１４の上面が電極板３０に弾力的に押し付けられる。このため、第１〜第３接続基板２０〜２２が接続されて第１〜第３コネクタ２４〜２６の各ロックレバー２８によってそれぞれロックされた状態で、電池１４の上面が各ロックレバー２８に対して非接触状態で接近、つまり僅かな隙間Ｓをもって配置される。
【００６１】
この状態では、第１〜第３コネクタ２４〜２６の各ロックレバー２８が各支持軸２８ｂを中心に回転しようとしても、各ロックレバー２８が電池１４の上面に当接する。このため、第１〜第３コネクタ２４〜２６の各ロックレバー２８は、電池１４によってロック状態が不用意に解除されないように規制される。そして、ケース本体２の下面に裏蓋５を防水パッキン５ａと共に取り付ける。これにより、腕時計が組み立てられる。
【００６２】
このように組み立てられた腕時計では、スイッチ部１０のスイッチ接点部１０ｃが第１接続基板２０と第１コネクタ２４とによって回路基板１７と電気的に接続されているので、スイッチ部１０の釦部１０ａを腕時計ケース１の外部から押圧操作すると、軸部１０ｂがケース本体２内に押し込まれて、スイッチ接点部１０ｃがオン動作し、スイッチ信号を回路基板１７に出力する。
【００６３】
また、この腕時計では、センサ部１１のセンサ本体１１ａが第２接続基板２１と第２コネクタ２５とによって回路基板１７と電気的に接続されているので、センサ部１１のセンサ本体１１ａによって腕時計ケース１の外部の圧力や温度などの外部環境を検出し、その検出信号を回路基板１７に出力する。
【００６４】
さらに、この腕時計では、表示パネル１８が第３接続基板２２と第３コネクタ２６とによって回路基板１７と電気的に接続されているので、回路基板１７によって表示パネル１８が駆動されることにより、表示パネル１８に時刻などの時計機能に必要な情報が表示される。
【００６５】
このように、この腕時計の時計モジュール１２によれば、コネクタ本体２７に接続部材である第１〜第３接続基板２０〜２２をロックレバー２８によってロックする第１〜第３コネクタ２４〜２６と、これら第１〜第３コネクタ２４〜２６が取り付けられた回路基板１７と、この回路基板１７に対向して配置され、第１〜第３コネクタ２４〜２６の各ロックレバー２８によるロック状態の解除を規制する電池１４と、を備えていることにより、部品点数の増加を防ぐことができると共に、簡単な構造で、小型化を図ることができる。
【００６６】
すなわち、この腕時計の時計モジュール１２では、回路基板１７に対向して配置された電池１４によって、第１〜第３コネクタ２４〜２６の各ロックレバー２８によるロック状態の解除が規制されているので、腕時計が外部から衝撃を受けた際に、その衝撃によって第１〜第３コネクタ２４〜２６の各ロックレバー２８によるロック状態が不用意に解除されることがなく、第１〜第３接続基板２０〜２２を第１〜第３コネクタ２４〜２６に確実に接続させた状態で固定することができる。
【００６７】
このため、この腕時計の時計モジュール１２では、回路基板１７に対向して配置された電池１４によって、第１〜第３コネクタ２４〜２６の各ロックレバー２８によるロック状態の解除を規制しているので、構造が簡単で、別部品としての専用のロック解除規制部材を用いずに、電池１４によって各ロックレバー２８によるロック状態の解除を規制することができ、これにより部品点数の増加を防ぐことができる共に、専用のロック解除規制部材の設置スペースが不要であるから、時計モジュール１２全体の小型化を図ることができる。
【００６８】
この場合、この時計モジュール１２では、第１〜第３コネクタ２４〜２６それぞれが、コネクタ本体２７とロックレバー２８とを備え、コネクタ本体２７の基板挿入部２７ａに第１〜第３接続基板２０〜２２を挿入させ、この状態でロックレバー２８の支持軸２８ｂを中心にレバー本体２８ａを回転させて、第１〜第３接続基板２０〜２２を基板挿入部２７ａの内面に押し付けることにより、第１〜第３接続基板２０〜２２をコネクタ本体２７に確実に固定することができる。
【００６９】
また、この腕時計の時計モジュール１２では、第１〜第３コネクタ２４〜２６の各ロックレバー２８がロック状態のときに、電池１４が各ロックレバー２８に対して非接触状態で接近して配置されることにより、衝撃などによって第１〜第３コネクタ２４〜２６の各ロックレバー２８が各支持軸２８ｂを中心に回転しようとしても、各ロックレバー２８が電池１４に当接するため、第１〜第３コネクタ２４〜２６の各ロックレバー２８によるロック状態が不用意に解除されないように、確実にかつ良好に規制することができる。
【００７０】
この場合、この腕時計の時計モジュール１２では、電池１４を収納する電池収納部１５が第１〜第３コネクタ２４〜２６に対応して設けられた電池保持部材であるハウジング１３を備えていることにより、ハウジング１３の電池収納部１５によって電池１４を第１〜第３コネクタ２４〜２６に対応させた状態で確実に位置規制することができる。
【００７１】
この場合、この時計モジュール１２では、ハウジング１３の電池収納部１５内に収納された電池１４の下面が電池押え板１６で押え付けられると共に、電池１４の上面が回路基板に設けられた電極板３０で弾力的に押え付けられているので、第１〜第３コネクタ２４〜２６の各ロックレバー２８がロック状態のときに、電池１４の上面を各ロックレバー２８に対して非接触状態で接近、つまり僅かな隙間Ｓをもって正確にかつ良好に配置させることができる。
【００７２】
さらに、この時計モジュール１２では、第１〜第３コネクタ２４〜２６がハウジング１３の電池収納部１５に収納された電池１４の周縁部に対応して複数設けられていることにより、１つの電池１４で第１〜第３コネクタ２４〜２６の各ロックレバー２８によるロック状態の解除を確実にかつ良好に規制することができる。このため、第１〜第３コネクタ２４〜２６各ロックレバー２８によるロック状態の解除を個別に規制する必要がないので、より一層、部品点数を削減することができる共に、時計モジュール１２全体の小型化を図ることができる。
【００７３】
なお、上述した実施形態では、第１〜第３コネクタ２４〜２６それぞれがコネクタ本体２７に第１〜第３接続基板２０〜２２をロックレバー２８の回転によってロックする構造である場合について述べたが、この発明は、これに限らず、例えばロックレバーのスライドによってコネクタ本体２７に第１〜第３接続基板２０〜２２をロックする構造であっても良い。この場合には、ロックレバーのスライドを電池１４の外周縁で規制するようにすれば良い。
【００７４】
また、上述した実施形態では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話や携帯端末などの電子機器にも適用することができる。
【００７５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７６】
（付記）
請求項１に記載の発明は、コネクタ本体に接続部材をロック部によってロックするコネクタと、前記コネクタが取り付けられた基板と、前記コネクタに対向して配置され、前記ロック部によるロック状態の解除を規制する電池と、を備えていることを特徴とするモジュールである。
【００７７】
請求項２に記載の発明は、請求項１に記載のモジュールにおいて、前記電池は、前記ロック状態のロック部に対して非接触状態で接近して配置されることを特徴とするモジュールである。
【００７８】
請求項３に記載の発明は、請求項１または請求項２に記載のモジュールにおいて、前記電池を収納する電池収納部が前記コネクタに対応して設けられた電池保持部材を備えていることを特徴とするモジュールである。
【００７９】
請求項４に記載の発明は、請求項１〜請求項３のいずれかに記載のモジュールにおいて、前記コネクタは前記電池の周縁部に対応して複数設けられていることを特徴とするモジュールである。
【００８０】
請求項５に記載の発明は、請求項１〜請求項４のいずれかに記載のモジュールにおいて、前記コネクタ本体は、前記接続部材が挿入する挿入部と、前記挿入部内に設けられて前記接続部材が接続される複数の端子と、を備え、前記ロック部は、前記コネクタ本体の厚さ方向に回転可能に設けられて前記挿入部内に挿入された前記接続部材を押し付けるロック本体を備えていることを特徴とするモジュールである。
【００８１】
請求項６に記載の発明は、請求項１〜請求項５のいずれかに記載されたモジュールを備えていることを特徴とする時計である。
【符号の説明】
【００８２】
１  腕時計ケース
２  ケース本体
３  外装アンテナ
４  外装部材
１０  スイッチ部
１１  センサ部
１２  時計モジュール
１３  ハウジング
１４  電池
１５  電池収納部
１６  電池押え板
１７  回路基板
１８  表示パネル
２０〜２２  第１〜第３接続基板
２４〜２６  第１〜第３コネクタ
２７  コネクタ本体
２７ａ  基板挿入部
２７ｂ  開口部
２７ｃ  端子
２８  ロックレバー
２８ａ  レバー本体
２８ｂ  支持軸
３０  電極板
【図１】
2019086299.tif 000003
【図２】
2019086299.tif 000004
【図３】
2019086299.tif 000005
【図４】
2019086299.tif 000006
【図５】
2019086299.tif 000007
【図６】
2019086299.tif 000008